(57)【要約】【課題】主に、立体感のある照明を行うことができるようにする。【解決手段】不透光性のケース３と、ケース３の表面を覆う透光性のカバー部材４とを有して内部を照明可能な車両用照明装置１に関する。  カバー部材４に貫通穴１１を設け、  貫通穴１１に操作用部品２を挿入配置し、  カバー部材４の裏面側における貫通穴１１の周囲にハーフミラー１２を設けると共に、  ハーフミラー１２の下側に間隔を有してミラー１３を設け、  操作用部品２の外周における、ハーフミラー１２とミラー１３との間の部分に、発光部１４を設けるようにしている。【選択図】図４
2019001240.tif 000002
【特許請求の範囲】
【請求項１】
不透光性のケースと、該ケースの表面を覆う透光性のカバー部材とを有して内部を照明可能な車両用照明装置において、
前記カバー部材に貫通穴を設け、
該貫通穴に操作用部品を挿入配置し、
前記カバー部材の裏面側における前記貫通穴の周囲にハーフミラーを設けると共に、
該ハーフミラーの下側に間隔を有してミラーを設け、
前記操作用部品の外周における、前記ハーフミラーと前記ミラーとの間の部分に、発光部を設けたことを特徴とする車両用照明装置。
【請求項２】
請求項１に記載の車両用照明装置であって、
前記発光部は、面発光が可能であることを特徴とする車両用照明装置。
【請求項３】
請求項１または請求項２に記載の車両用照明装置であって、
前記ケースと前記カバー部材との内側に、光源から入射した光を前記カバー部材側へ反射可能な反射部を有する導光板を収容設置し、
該導光板に前記操作用部品を挿入可能な前記貫通穴を設けると共に、
前記ミラーを、前記導光板における前記貫通穴の周囲に設けたことを特徴とする車両用照明装置。
【請求項４】
請求項３に記載の車両用照明装置であって、
前記導光板の前記反射部を光拡散部としたことを特徴とする車両用照明装置。
【請求項５】
請求項３または請求項４に記載の車両用照明装置であって、
前記導光板の上側に、別の導光板を配置したことを特徴とする車両用照明装置。
【請求項６】
不透光性のケースと、該ケースの表面を覆う透光性のカバー部材とを有して内部を照明可能な車両用照明装置において、
前記カバー部材に貫通穴を設け、
該貫通穴に操作用部品を挿入配置し、
該操作用部品の外周にミラーを設け、
該ミラーの外周に間隔を有してハーフミラーを設け、
該ハーフミラーと前記別のミラーとの間の部分に、発光部を設けたことを特徴とする車両用照明装置。
【発明の詳細な説明】
【技術分野】
【０００１】
この発明は、車両用照明装置に関するものである。
【背景技術】
【０００２】
自動車などの車両は、車室内に各種の照明装置（車両用照明装置）を備えている。車室内に設ける照明装置には、例えば、特許文献１や特許文献２に開示されているようなものが存在している。
【先行技術文献】
【特許文献】
【０００３】
【特許文献１】特開２００４−９０８９７号公報
【特許文献２】特開２００９−８３７３１号公報
【発明の概要】
【発明が解決しようとする課題】
【０００４】
上記特許文献１や特許文献２に記載された車両用照明装置には、照明の立体感が乏しいなどの問題があった。
【０００５】
そこで、本発明は、主に、上記した問題点を解決することを目的としている。
【課題を解決するための手段】
【０００６】
上記課題を解決するために、本発明は、
不透光性のケースと、該ケースの表面を覆う透光性のカバー部材とを有して内部を照明可能な車両用照明装置において、
前記カバー部材に貫通穴を設け、
該貫通穴に操作用部品を挿入配置し、
前記カバー部材の裏面側における前記貫通穴の周囲にハーフミラーを設けると共に、
該ハーフミラーの下側に間隔を有してミラーを設け、
前記操作用部品の外周における、前記ハーフミラーと前記ミラーとの間の部分に、発光部を設けたことを特徴とする。
また、本発明は、不透光性のケースと、該ケースの表面を覆う透光性のカバー部材とを有して内部を照明可能な車両用照明装置において、
前記カバー部材に貫通穴を設け、
該貫通穴に操作用部品を挿入配置し、
該操作用部品の外周にミラーを設け、
該ミラーの外周に間隔を有してハーフミラーを設け、
該ハーフミラーと前記別のミラーとの間の部分に、発光部を設けたことを特徴とする。
このため、車両用照明装置は、操作用部品の外周にハーフミラーとミラーとによる合わせ鏡を有するものとなる。
【発明の効果】
【０００７】
本発明によれば、上記構成によって、立体感のある照明を行うことなどができる。
【図面の簡単な説明】
【０００８】
【図１】本実施の形態の実施例にかかる車両用照明装置の斜視図である。
【図２】図１の車両用照明装置における操作用部品および周辺照明装置を取出（して拡大）した状態を示す概略斜視図である。
【図３】図２の車両用照明装置のＡ−Ａ線に沿った縦断面図である。
【図４】図３の車両用照明装置を分かり易く描いた縦断面図である。
【図５】図４の部分拡大図である。
【図６】図４の導光体による照明部分の分解図である。
【図７】図４の導光体による照明部分の作動図である。
【図８】他の実施例を示す図４と同様の図である。
【図９】図８の部分拡大図である。
【発明を実施するための形態】
【０００９】
以下、本実施の形態を、図面を用いて詳細に説明する。
図１〜図９は、この実施の形態を説明するためのものである。
【実施例１】
【００１０】
＜構成＞以下、この実施例の構成について説明する。
【００１１】
自動車などの車両の車室内に、例えば、図１に示すような照明装置（車両用照明装置１）を設置する。この車両用照明装置１に、スイッチなどの操作用部品２を設ける。この車両用照明装置１を、図２に示すように、不透光性のケース３と、ケース３の表面を覆う透光性のカバー部材４とを備えたものとする。
【００１２】
ここで、車両用照明装置１は、例えば、センターコンソール５（図１参照）やインストルメントパネルなどに取付けることができる。操作用部品２は、図では縦長の筒状のものとなっているが、これに限るものではない。この場合、操作用部品２は、上端部に押ボタンスイッチや回転式スイッチなどを有している。操作用部品２は、車両用照明装置１の内外に、単数または複数設けることができる。
【００１３】
ケース３は、例えば、ＡＢＳなどの樹脂製とすることができる。ケース３は、不透光性を有していれば何色としても良い。例えば、ケース３は、内部における光の反射率を上げるために白色などとしても良い。または、ケース３は、内部における光の反射率を下げるために黒色や暗色などとしても良い。ケース３の形状については、任意とすることができる。
【００１４】
カバー部材４は、例えば、アクリルなどの樹脂製とすることができる。カバー部材４は、ケース３を覆う平坦な部分を有するものとする。カバー部材４は、無色透明や有色透明の板などとすることができる。
【００１５】
以上のような基本的な構成に対し、この実施例では、以下のような構成を備えるようにしている。
【００１６】
（１）図３に示すように、カバー部材４に貫通穴１１を設ける。
そして、貫通穴１１に操作用部品２を挿入配置する。
また、図４に示すように、カバー部材４の裏面側における貫通穴１１の周囲にハーフミラー１２を設ける。
ハーフミラー１２の下側に間隔を有してミラー１３を設ける。
操作用部品２の外周における、ハーフミラー１２とミラー１３との間の部分に、発光部１４を設ける。
【００１７】
ここで、貫通穴１１は、操作用部品２が通る大きさまたはそれよりも大きいものとする。この貫通穴１１に対して、操作用部品２はカバー部材４の側から挿入配置するようにしても良い。操作用部品２の上部には、貫通穴１１を隠すためのフランジ部２ａ（図３）を設けることができる。なお、必要な場合には、ケース３に対しても、カバー部材４の貫通穴１１と同様の貫通穴１５を設けることができる。ケース３の貫通穴１５は、操作用部品２の大きさや形状に応じたものとする。
【００１８】
ハーフミラー１２は、貫通穴１１の周囲にのみ設けても良いが、カバー部材４の図中下面全面に貼着したハーフミラーフィルムなどとしても良い。ハーフミラー１２は、塗装や表面処理などによって構成することもできる。
【００１９】
ミラー１３は、操作用部品２の挿入方向（または軸線方向）に間隔を有してハーフミラー１２やカバー部材４と平行に設置する。ミラー１３は、少なくとも貫通穴１１の周囲に設ける。ミラー１３は、粘着性を有するミラーフィルムや塗装や表面処理などによって構成することができる。
【００２０】
この場合、ハーフミラー１２とミラー１３は、図５に示すように、カバー部材４と平行な面を有する合わせ鏡となる。
【００２１】
発光部１４は、ハーフミラー１２とミラー１３による合わせ鏡の間で発光するものであれば何でも良い。発光部１４は、合わせ鏡に、繰り返し映されることで、合わせ鏡の合わせ方向（操作用部品２の貫通穴１１への挿入方向）へ無限に続く像１６となり、発光部１４を発光することで、無限に続く像１６は無限ミラー照明となる。発光部１４の詳細については後述する。
【００２２】
（２）発光部１４は、面発光が可能なものとしても良い。
【００２３】
ここで、面発光は、面状の光を発するもののことである。そのために、発光部１４は、ハーフミラー１２とミラー１３との間隔の全域に及ぶ面状の出光部（面発光部）としている。発光部１４は、操作用部品２の外周を覆う筒状の面などとすることができる。
【００２４】
（３）図４に示すように、ケース３とカバー部材４との内側に、光源３１から入射した光３２（図７）をカバー部材４側へ反射可能な反射部３３を有する導光板３４を収容設置しても良い。
導光板３４に操作用部品２を挿入可能な貫通穴３５を設けても良い。
ミラー１３を、導光板３４における貫通穴３５の周囲に設けても良い。
【００２５】
ここで、光源３１には、ＬＥＤなどを用いることができる。光源３１は、例えば、透明な樹脂製の棒状体の端部にＬＥＤを配設した発光棒３１ａなどとすることができる。この発光棒３１ａは、例えば、ケース３の内部に、ケース３の辺部に沿って設置することができる。
【００２６】
導光板３４は、光源３１からの光３２を内部へ導くようにした透明部材である。導光板３４は、例えば、アクリルなどの樹脂製とすることができる。導光板３４は、カバー部材４（の底面）と平行な面を有する平坦なものとしても良い。導光板３４は、カバー部材４の底面上に設置しても良い。導光板３４は、光源３１と対向する端部が入光部になる。
【００２７】
反射部３３は、導光板３４の内部へ導かれた光源３１からの光３２を反射し、カバー部材４を通して導光板３４の外部へ出光するためのものである。反射部３３を設けた位置が導光板３４の出光部となる。
【００２８】
そして、上記した光源３１と導光板３４とによって、カバー部材４を全体的に照明する全体照明装置が構成される。
【００２９】
貫通穴３５は、図３に示すように、操作用部品２の外周よりも大きくても良いし、図４に示すように、操作用部品２の外周とほぼ同じ大きさにしても良い。
【００３０】
（４）導光板３４の反射部３３は、光拡散部３３ａとしても良い。
【００３１】
ここで、光拡散部３３ａは、光を拡散するためのものである。光拡散部３３ａは、光を拡散状態で反射できるようにするために、例えば、細かい凹凸部などとすることができる。凹凸部は、規則的なパターンのものや、不規則なパターンのものなどとすることができる。光拡散部３３ａは、全体的に均一に設けても良いし、または、不均一に設けても良い。光拡散部３３ａは、例えば、サンドブラストやショットブラストなどの表面加工によって作ることができる。
【００３２】
（５）導光板３４の上側に、別の導光板３６を配置しても良い。
【００３３】
ここで、別の導光板３６は、下側の導光板３４と同様に構成することができる。即ち、別の導光板３６に、光源３１から入射した光３２をカバー部材４側へ反射可能な反射部３７を設ける。この反射部３７は、光拡散部３７ａとしても良い。別の導光板３６は、導光板３４の上に設置しても良い。また、別の導光板３６には、操作用部品２を挿入可能な貫通穴３８を設けるようにしても良い。これらの詳細については、下側の導光板３４と同様にすることができる。
【００３４】
なお、光源３１については、導光板３４と導光板３６とで別々にすること（個別光源）や、共用すること（共用光源）ができる。
【００３５】
上側の導光板３６の反射部３７は、下側の導光板３４の反射部３３よりも、光源３１に近い位置に設けるのが照明の遠近感や立体感を高める上で好ましい。また、上側の導光板３６の反射部３７は、下側の導光板３４の反射部３３よりも、反射率を大きくするのが照明の遠近感や立体感を高める上で好ましい。そして、各反射部３３，３７は、光源３１から離れるほど反射率が小さくなるようにするのが照明の遠近感や立体感を高める上で好ましい。更に、上側の導光板３６の反射部３７は、導光板３６の上面側に設けるのが照明の立体感を高める上で好ましい。また、下側の導光板３４の反射部３３は、導光板３４の下面側に設けるのが照明の立体感を高める上で好ましい。
【００３６】
上側の導光板３６の貫通穴３８と下側の導光板３４の貫通穴３５は、操作用部品２の側面とほぼ等しい大きさとしても良いし、操作用部品２の側面よりも大きなものとしても良い。貫通穴３５，３８は、操作用部品２が通れば、それぞれ同じ大きさとしても良いし、または異なる大きさとしても良い。貫通穴３５，３８の端面は、遮光部としても良い。遮光部は、貫通穴３５，３８の端面に不透光性を有する黒色などの印刷部や塗装部などを設けることで得ることができる。但し、最も下側の貫通穴３５については、遮光部としても出光部としても良い。最も下側の貫通穴３５を出光部とした場合には、出光部を後述する導光体５３に当接することで、出光部から出た光によって発光部１４を発光させることが可能になる。
【００３７】
更に、図６（図７）に示すように、カバー部材４を暗色に着色するために、カバー部材４の上面などに、スモークフィルム４１などを貼着しても良い。
【００３８】
また、各導光板３４，３６の上面側には、調光を行うための調光層４２，４３（調光フィルム）を設けても良い。調光層４２，４３は、光源３１から離れるに従い光透過度が徐々に小さくなる光透過部４２ａ，４３ａ（グラデーション部）を有するものとすることができる。
【００３９】
光透過部４２ａ，４３ａのグラデーションは、それぞれ同じものにしても良いが、異なるものにしても良い。
【００４０】
光透過部４２ａ，４３ａのグラデーションを異なるものにする場合、下側の導光板３４の反射部３３が光源３１から遠くに位置し、上側の導光板３６の反射部３７が光源３１から近くに位置していれば、光源３１から遠い反射部３３に対する光透過部４２ａを、光源３１から近い反射部３７に対する光透過部４３ａよりも、全体としての光透過度が小さくなるようにするのが好ましい。
【００４１】
光透過部４２ａ，４３ａは、それぞれ反射部３３，３７の位置にのみ設けるようにしても良い。反射部３３，３７以外の部分については、透明部４２ｂ，４３ｂなどを設けることができる。また、調光層４２，４３における、光源３１からの光３２が直接カバー部材４を透過して見えないようにしたい部分（例えば、光源３１の近傍や、光源５から最も離れた位置など）については、不透光部４２ｃ，４３ｃを設けることができる。
【００４２】
（６）他の実施例として、不透光性のケース３と、ケース３の表面を覆う透光性のカバー部材４とを有して内部を照明可能な車両用照明装置１において、カバー部材４に貫通穴１１を設け、貫通穴１１に操作用部品２を挿入配置し、更に、図８、図９に示すように、操作用部品２の外周に別のミラー５５を設け、別のミラー５５の外周に（径方向の）間隔を有して別のハーフミラー５６を設け、別のハーフミラー５６と別のミラー５５との間の部分に、別の発光部５０を設けるようにしても良い。
【００４３】
ここで、別の発光部５０は、光源５１と、光源５１からの光５２を操作用部品２の外周に沿って導く導光体５３とを有する発光装置５４の出光部としても良い。そして、発光装置５４の導光体５３の内周面に別のミラー５５を設け、導光体５３の外周面に別のハーフミラー５６を設けるようにしても良い。
【００４４】
光源５１には、ＬＥＤなどを用いることができる。導光体５３は、操作用部品２の側面に外嵌可能な筒状またはリング状のものとしても良い（図２参照）。この場合、筒状の導光体５３の上端部（のハーフミラー１２とミラー１３との間の部分）の外周面が円筒面状の発光部１４（出光部）となる。また、筒状の導光体５３の上端部（のミラー１３の位置）における別のハーフミラー５６と別のミラー５５との間の（断面）部分がドーナツ円盤状の別の発光部５０となる。
【００４５】
発光装置５４は、操作用部品２の外周に設けることで、操作用部品２の周辺を部分的に照明する周辺照明装置を構成する。周辺照明装置を構成する光源５１と導光体５３は、ケース５８（図３参照）に取付けてユニット化しておき、カバー部材４の貫通穴１１に（上側から）操作用部品２を取付けた後に、ケース３の貫通穴１５に（下側から）ケース５８ごと設置して取付部材５９などを用いて一度に取付けできるようにしても良い。
【００４６】
別のミラー５５および別のハーフミラー５６は、それぞれリング状の導光体５３の内周面と外周面に設ける。別のミラー５５および別のハーフミラー５６は、粘着性を有するフィルムや塗装や表面処理などによって構成することができる。外周側の別のハーフミラー５６は、ミラー１３よりも下側の位置にも設けても良いし、または、設けなくても良い。また、導光体５３の外周側の発光部１４よりも下側の位置については別のハーフミラー５６に替えてミラーなどとしても良い。図９に示すように、別のミラー５５および別のハーフミラー５６は、カバー部材４とほぼ垂直な面を有する別の合わせ鏡となる。
【００４７】
発光部１４は、この別の合わせ鏡に、繰り返し映されることで、合わせ鏡の合わせ方向（導光体５３の厚み方向、または、カバー部材４と平行な方向）へ無限に続く像５７となり、光源５１を発光させることで、無限に続く像５７は無限ミラー照明となる。発光部１４の詳細については後述する。
【００４８】
なお、ハーフミラー１２とミラー１３とによる合わせ鏡と、別のミラー５５および別のハーフミラー５６による別の合わせ鏡とは、組み合わせることができる。また、その他の構成については、上記実施例と同様にすることができる。
【００４９】
＜作用＞以下、この実施例の作用について説明する。
【００５０】
車両用照明装置１は、ケース３に光源３１と導光板３４，３６とを収容して、カバー部材４を取付け、（カバー部材４の側から）貫通穴１１に操作用部品２を挿入すると共に、ケース３の貫通穴１５や導光板３４，３６の貫通穴３５，３８の部分に光源５１や導光体５３を有する発光装置５４を設置することで組み立てられる。
【００５１】
照明を行わない時は、車両用照明装置１は、スモークフィルム４１によって暗色のものとなる。操作用部品２は、暗色のカバー部材４から突出したものとなる。
【００５２】
そして、全体照明装置の光源３１を点灯すると、図７に示すように、光源３１からの光３２は導光板３４，３６の内部へ導かれ、導光板３４，３６内で反射部３３，３７によってカバー部材４側へ反射されて、カバー部材４から出光される。これにより、カバー部材４の面に対し、反射部３３，３７の形状などに応じた全体的な照明を行うことができる。
【００５３】
そして、発光装置５４（周辺照明装置）の光源５１を点灯し、導光体５３を介して発光部１４を発光させることで、図４（図５、図９）に示すように、操作用部品２の周囲を照明することができる。
【００５４】
そのため、操作用部品２は、カバー部材４の面に対する照明と、操作用部品２の周囲に対する照明との二種類の照明の中に置がれることになり、操作用部品２は照明によって多彩に装飾されたものとなる。
【００５５】
＜効果＞この実施例によれば、以下のような効果を得ることができる。
【００５６】
（効果１）ハーフミラー１２とミラー１３とで合わせ鏡を作り、合わせ鏡の間に発光部１４を設けることで、操作用部品２の周囲にハーフミラー１２とミラー１３との合わせ方向（車両用照明装置１の奥行き方向）に沿って無限に繰り返される無限ミラー照明による発光部１４の像１６を作り出すことができる。そして、この無限ミラー照明によって無限の奥行き感のある立体的な照明効果を得ることができる。
【００５７】
以上により、非照明時と照明時とで意匠の変化を大きくすることができると共に、立体感のある照明を行うことができる。
【００５８】
（効果２）発光部１４を面発光するものとしても良い。これにより、面発光による光３２の帯が無限に繰り返される無限ミラー照明を作り出して、質感の高い照明効果を得ることができる。
【００５９】
（効果３）ケース３とカバー部材４との内側に導光板３４を設けるようにしても良い。これにより、無限ミラー照明とは別に、導光板３４を用いたカバー部材４の全体的な照明を行うことができる。
【００６０】
そして、導光板３４によるカバー部材４の全体的な照明と、合わせ鏡による操作用部品２の周囲の無限ミラー照明とを合わせることで、これまでになかったような複雑で立体感のある照明効果を演出することができる。
【００６１】
この際、導光板３４に設けた貫通穴３５に操作用部品２を挿入することで、導光板３４による全体的な照明と、無限ミラー照明とを両立させる構造を無理なく並設することができる。また、ミラー１３を導光板３４に設けることで、導光板３４を利用して無限ミラー照明のためのミラー１３を容易に設置することができる。
【００６２】
（効果４）導光板３４の反射部３３を光拡散部３３ａとしても良い。これにより、カバー部材４の全体的な照明を、ソフトで自然な感じの照明にすることができる。特に、反射部３３の表面側に光源３１から離れるに従い（または、光源３１から操作用部品２へ向かって）光透過度が徐々に小さくなる光透過部４２ａを設けることで、グラデーションが滑らかに変化する自然な感じの照明を行うことができる。
【００６３】
（効果５）導光板３４の上側に別の導光板３６を配置しても良い。これにより、カバー部材４の全体的な照明に導光板３４，３６の重なりによる奥行感や、光源３１から反射部３３，３７までの距離感を出すことができ、全体として立体感のある照明を行うことができる。例えば、複数枚の導光板３４，３６に、上側のものほど光源３１から近くなるように位置をズラして反射部３３，３７を設けることで、階段状の照明を得ることができる。
【００６４】
なお、別の導光板３６は、導光板３４と同様の構成にすることができる。特に、導光板３４，３６の各反射部３３，３７を、光源３１から離れるほど反射率が小さくなるようにしたり、調光層４２，４３の各光透過部４２ａ，４３ａを、光源３１から離れるに従い光透過度が徐々に小さくなるようにしたりすることで、明度が高いと近くに見え、明度が低いと遠くに見えるという消失遠近法による視覚効果を利用して、上記した奥行感などを強調することができる。
【００６５】
（効果６）他の実施例として、発光装置５４における、操作用部品２の外周（を取り囲む導光体５３の両面など）に対して別のミラー５５および別のハーフミラー５６を設けても良い。これにより、上記とは向きの異なる別の合わせ鏡を設けることができる。そして、この別の合わせ鏡によって、導光体５３の厚み方向（カバー部材４の面と平行な方向）に沿って無限に繰り返される別の無限ミラー照明を作り出すことができる。そして、二種類の無限ミラー照明によって無限の拡がり感のある立体的な照明効果を得ることができる。
【００６６】
以上により、非照明時と照明時とで意匠の変化を更に大きくすることができると共に、より立体感のある照明を行うことができる。
【符号の説明】
【００６７】
１      車両用照明装置
２      操作用部品
３      ケース
４      カバー部材
１１    貫通穴
１２    ハーフミラー
１３    ミラー
１４    発光部
３１    光源
３３    反射部
３３ａ  光拡散部
３５    貫通穴
３６    別の導光板
５１    光源
５２    光
５３    導光体
５４    発光装置
５５    別のミラー
５６    別のハーフミラー
【図１】
2019001240.tif 000003
【図２】
2019001240.tif 000004
【図３】
2019001240.tif 000005
【図４】
2019001240.tif 000006
【図５】
2019001240.tif 000007
【図６】
2019001240.tif 000008
【図７】
2019001240.tif 000009
【図８】
2019001240.tif 000010
【図９】
2019001240.tif 000011